(57)【要約】【課題】  タッチパネルに触れるタッチ部の損傷が防止されるうえ、タッチペンの使い勝手が高められるタッチペンとタッチペン収納ケースを提供する。【解決手段】  タッチペン１の軸部の外周には、軸方向に所定長さを有する係止部３が設けられ、タッチペン収納ケース４は、タッチペンよりも長くヒンジにより結合された一対の半割部材５，６からなり、ヒンジを介して重ね合わせることにより内部に前記タッチペン１を収納可能な収納部５ａ、６ａが形成されるとともに、各半割部材の先端部の重ね合わせられる辺に切欠き５ｃ，６ｃが形成され、該切欠きが合わさることによりタッチペンのタッチ部側を突出させる穴が設けられ、しかも、収納部に、タッチペンの係止部の軸方向長さに適合する間隔を開けて配設され、タッチペンを突出させたときに係止部の軸方向両端に係止して前記タッチペンの軸方向の移動を規制する位置決めリブ９を備える。【選択図】      図１
0003114986.tif 000002
【実用新案登録請求の範囲】
【請求項１】
細長の棒状体からなる軸部と軟質性樹脂材からなり前記軸部の先端に突設されたタッチ部とを備え、このタッチ部をタッチパネルにソフトタッチさせて情報の入力や表示を行わせるタッチペンと、該タッチペンを収納するタッチペン収納ケースとからなるものであって、
前記タッチペンの軸部の外周には、軸方向に所定長さを有する係止部が設けられ、
前記タッチペン収納ケースは、前記タッチペンよりも長くヒンジにより結合された一対の半割部材からなり、ヒンジを介して重ね合わせることにより内部に前記タッチペンを収納可能な収納部が形成されるとともに、各半割部材の先端部の重ね合わせられる辺に切欠きが形成され、該切欠きが合わさることにより前記タッチペンのタッチ部側を突出させる穴が設けられ、しかも、前記収納部に、前記タッチペンの係止部の軸方向長さに適合する間隔を開けて配設され、タッチペンを突出させて収納したときに前記係止部の軸方向両端に係止して前記タッチペンの軸方向の移動を規制する位置決めリブを備えることを特徴とする
タッチペンとタッチペン収納ケース。
【請求項２】
前記各収納部の先端側内部に、前記半割部材を重ね合わせたとき弾性変形して、前記タッチペンの周面を押圧する保持部を設けてなることを特徴とする請求項１に記載のタッチペンとタッチペン収納ケース。
【考案の詳細な説明】
【技術分野】
【０００１】
本考案は、ゲーム機や小型パーソナルコンピュータ等のタッチパネルに触れて情報を入力したり、所用の情報を表示させたりするタッチペンとこれを収納するタッチペン収納ケースに関する。
【背景技術】
【０００２】
タッチペン２０は、図8に示すように、細長い鉛筆状の軸部２０ａの先端に軟質材からなるタッチ部２を取り付けている。
このタッチペン２０は、図９に示すようなゲーム機１３の入力操作に使用され、ユーザーが軸部２０aを把持し、ゲーム機１３の本体１３ａのタッチパネル１４にタッチ部２をソフトタッチする。
このタッチパネル１４は、液晶表示画面に入力を促す文字やサインを表示するようになっており、その表示部位にタッチがなされると、制御部が位置情報から入力内容を判断し、これに応じた情報をタッチパネル１４の画面や表示部１５に表示させる。
【０００３】
この表示に従って、ユーザーが再びタッチ部２をタッチパネル１４に触れると、制御部はこの入力内容に応じた制御を行うようになっている。
なお、このようなタッチペン２０は、予備品を含め２本を１セットとして備えるのが一般的であり、一本目のタッチペン２０は、図１０に示すゲーム機１３の背面１３ｂに設けた収納部１６に収納している。
この収納部１６は、タッチペン２０を奥まで差し込んで保持可能となっている。
【考案の開示】
【考案が解決しようとする課題】
【０００４】
ところで、このタッチペン２０は、柔らかい材質のタッチ部２が露出状態となっているため、何かの物体に接触して損傷するおそれがあり、このタッチ部２が損傷すると、タッチパネル１４の画面を傷つけるおそれがあった。
また、このタッチペン２０は、鉛筆よりもサイズがはるかに細い軸部で構成され、さらにペンの全長が短いものであるために持ちにくいもので、しかも紛失し易いものであった。
紛失したときのために予備品２０が用意されているが、この予備品２０はゲーム機に収納することができないため一本目よりも損傷のおそれがあり、しかも予備品についてはより一層紛失しやすいものであった。
【０００５】
本考案は、上記課題に鑑みてなされたもので、予備品についてのタッチパネルに触れるタッチ部の損傷が防止されるうえ、タッチペンの使い勝手が高められるタッチペンとタッチペン収納ケースとを提供することを目的としている。
【課題を解決するための手段】
【０００６】
上記目的を達成するため、本考案は、細長の棒状体からなる軸部と、軟質性樹脂材からなり前記軸部の先端に突設されたタッチ部とを備え、このタッチ部をタッチパネルにソフトタッチさせて情報の入力や表示を行わせるタッチペンと、該タッチペンを収納するタッチペン収納ケースとからなるものであって、前記タッチペンの軸部の外周には、軸方向に所定長さを有する係止部が設けられ、前記タッチペン収納ケースは、前記タッチペンよりも長くヒンジにより結合された一対の半割部材からなり、ヒンジを介して重ね合わせることにより内部に前記タッチペンを収納可能な収納部が形成されるとともに、各半割部材の先端部の重ね合わせられる辺に切欠きが形成され、該切欠きが合わさることにより前記タッチペンのタッチ部側を突出させる穴が設けられ、しかも、前記収納部に、前記タッチペンの係止部の軸方向長さに適合する間隔を開けて配設され、タッチペンを突出させて収納したときに前記係止部の軸方向両端に係止して前記タッチペンの軸方向の移動を規制する位置決めリブを備えることを特徴としている。
【０００７】
また、前記各収納部の先端側内部に、前記半割部材を重ね合わせたとき弾性変形して、前記タッチペンの周面を押圧する保持部を設けてなることを特徴としている。
【考案の効果】
【０００８】
以上説明したように、本考案によるタッチペンとタッチペン収納ケースは、ヒンジを介して半割部材を重ね合わせることにより収納部にタッチペンを収納しておくことができる。これにより、タッチペン収納ケースに外力や振動が加えられても、予備用のタッチペンが損傷することなく保持され、タッチペン収納ケースに収納した状態で保管できるので予備用のタッチペンを紛失するおそれが少なくなる。
また、半割部材先端部の穴からタッチペンのタッチ部側部分を突出させた状態で、タッチペン収納ケースの位置決めリブとタッチペンの係止部とによってタッチペンの軸方向の移動が規制される。これにより、タッチペンよりも外径の大きいタッチペン収納ケースを把持し、タッチペンの軸方向のがたつきをなくしてタッチペンの操作を正確に行うことができるので、タッチペンを安定して指の負担なく使用することができる効果がある。
【０００９】
また、前記半割部材を重ね合わせたときにタッチペン収納ケースの保持部が弾性変形してタッチペンを保持するから、タッチペン収納ケースに対してタッチペンががたつく事がなく安定して保持でき、またタッチペンをタッチペン収納ケース内に収納したときにはタッチペンの先端を弾性を有する保持部で保護するのでタッチペンの先端を損傷することなく保管できる利点がある。
【考案を実施するための最良の形態】
【００１０】
以下、本考案に係るタッチペン収納ケースの実施形態について、図面を参照しながら詳述する。
図１は、本考案の一実施形態であるタッチペンを収納したタッチペン収納ケースを示す平面図、図２は、同タッチペン収納ケースを示す外観図、図３は、同タッチペン収納ケースの先端側を示す説明図である。
このタッチペン収納ケース４は、上下部の半割部材５，６により構成され、タッチペン１を収納するようになっている。
このタッチペン１は、軸部１ａが細くて短く、硬質合成樹脂材により形成され、その先端側１ｂに軟質合成樹脂材からなるタッチ部２が突設されている。
そして、このタッチペン１は、後端側１ｃの外周に係止部３を一体形成している。この係止部３は、軸部１ａよりも外径方向に張り出しており、軸方向に所定長さａを有する。係止部３の軸方向長さは後述の位置決めリブ９間の間隔ｂにほぼ等しく、タッチペン１と同質の材料にて一体形成されている。
【００１１】
上下部の半割部材５，６は、二つ割り構造で、タッチペン１よりも長く、硬質プラスチック材等で形成されている。この上下部の半割部材５，６は、内部に空洞部を有する断面が凹状であり、端縁相互を重ね合わせたとき、タッチペン１を収納可能な収納部５ａ，６ａが形成される。
そして、両半割部材５，６の各先端部５ｂ，６ｂには、タッチペン１の外径にほぼ等しい半径の切欠き５ｃ，６ｃをそれぞれ設けてある。
これにより、上下部の半割部材５，６を重ね合わせたとき、図３に示すような穴４ａが形成されて、タッチペン１を突出させて保持することができる。
また、両半割部材５，６の各先端部５ｂ，６ｂには、保持部１０，１０が設けられている。この保持部１０は、緩衝材を収納部５ａ，６ａ内に嵌め込み若しくは接着したもので、前記上下部の半割部材５，６を重ね合わせたとき、タッチペン１のタッチ部２の両面に当接することにより弾性変形してこのタッチ部２を押圧保持可能となっている。
【００１２】
また、上下部の半割部材５，６は、各一側部の間にヒンジ７を設けており、半割部材５，６相互を開閉自在に結合している。
さらに、上部半割部材５は、他側部における中央に嵌合凸部８ａを設ける一方、下部半割部材６は、他側部における中央に嵌合凹部８ｂを形成し、ロック部８を構成している。
これにより、上下部の半割部材５，６を重ね合わせるとき、嵌合凸部８ａ側を嵌合凹部８ｂに嵌合させるとロック状態になり、上下部の半割部材５，６の開放が規制される。一方、両者８ａ，８ｂの嵌合を外すと、ロック状態が解除されて、上下部の半割部材５，６を開けることができる。
【００１３】
なお、下部半割部材６の収納部６ａには、タッチペンの係止部の軸方向長さａに相当する所定の間隔ｂをあけて位置決めリブ９を５個設けている。この位置決めリブ９は、タッチペン１の曲率半径に合わせて中央に半円形の凹所９ａをそれぞれ形成し、タッチペン１を収納可能にしてある。
これにより、タッチペン１を収納するとき、何れかの位置決めリブ９の間に係止部３を位置させると、係止部３とリブ９、９との係止によってタッチペン１の軸方向の移動が規制される。
【００１４】
次に、タッチペンの使用例について説明する。
このタッチペン１は、図９に示したゲーム機１３の入力操作に使用される。
このゲーム機１３は、予めタッチペン収納ケース４の付属品として備えており、このタッチペン収納ケース４にタッチペン１を収納した状態でユーザーに提供される。
この初期状態では、図１に示すように、下部半割部材６の後端部６ｄ側寄りの位置決めリブ９と次の位置決めリブ９との間に係止部３が係止されて、タッチペン１の軸方向の移動を規制するようにしている。
【００１５】
このタッチペン１を使用するときは、図２に示す状態にあるタッチペン収納ケース４のロック部８を解除して、上下部の半割部材５，６を開ける。
そして、タッチペン１を取り出し、図３に示す如く後端部６ｄ側から２番目と３番目の位置決めリブ９の間に係止部３を係止する。
次いで、上下部の半割部材５，６を重ね合わせ、嵌合凸部８ａ側を嵌合凹部８ｂに嵌合させてロック状態とする。
これにより、図４および図５に示すように、タッチペン収納ケース４の先端側の穴４ａからタッチペン１のタッチ部２側が露出した状態となる。
このとき、タッチペン１の軸部１ａが、位置決めリブ９に保持されて（図6参照）、前後の移動が規制されるとともに、保持部１０によって弾性保持されてタッチペン１の先端側１ｂの軟質合成樹脂材からなるタッチ部２が保護される。
【００１６】
ユーザーは、このタッチペン収納ケース４を把持し、図９に示したゲーム機１３のタッチパネル１４にタッチ部２をソフトタッチする。
この際、タッチペン収納ケース４は、タッチペン１の軸部１ａよりも相当に太く、タッチペン収納ケース４によって、タッチペン１が継ぎ足され長くなるので、タッチペン１を容易に把持して操作することができる。
【００１７】
ゲーム機１３のタッチパネル１４は、前述の如く液晶表示画面に入力を促す文字やサインが表示されており、その表示部位にタッチすると、制御部が位置情報から入力内容を判断し、これに応じた情報をタッチパネル１４の画面や表示部１５に表示させる。
ユーザーが、表示内容に従ってタッチ部２をタッチパネル１４に触れさせると、制御部はこの入力内容に応じた制御を行う。
このような入力操作後、タッチペン１が不要になると、図１に示した如くタッチペン収納ケース４内にタッチペン１を収納する。
このタッチペン収納ケース４は、両半割部材５，６の各先端部５ｂ，６ｂに保持部１０，１０を設けているので、上下部の半割部材５，６を重ね合わせたとき、タッチペン１のタッチ部２により保持部１０が弾性変形し、このタッチ部２を押圧する。
これにより、タッチペン収納ケース４を落すなど、外部から衝撃が加えられた際、この衝撃を吸収してタッチ部２の損傷を防止することができる。
【００１８】
このように、柔らかい材質のタッチ部２が常に保護されているため、何かの物体に接触して損傷することもなくなり、タッチパネル１４の画面を傷つける不具合が回避される。
また、タッチペン１は、従来のように細軸のままでなく、太いタッチペン収納ケース４に収納されて使用できるために、保持部分が太くなるとともに長くなるので保持が容易であり、内部に収納した状態で保管することができるので紛失も防止される。
なお、上記実施の形態では、タッチペン収納ケース４に何も装飾しない場合について説明したが、図７に示すように、下部ケース６の後部側６ｅにマスコット１１等を一体形成したり、その先端にトラップ１２を取り付けてもよい。
これにより、タッチペン収納ケース４が装飾されるので、付加価値を高めることができる。
【図面の簡単な説明】
【００１９】
【図１】本考案の一実施形態であるタッチペンを収納したタッチペン収納ケースを示す平面図である。
【図２】同タッチペン収納ケースを示す外観図である。
【図３】同タッチペン収納ケースの先端側を示す説明図である。
【図４】同タッチペン収納ケースからタッチペンを露出させた状態を示す平面図である。
【図５】同タッチペン収納ケースを示す外観図である。
【図６】図５のVI―VI線に沿った縦断面図である。
【図７】タッチペン収納ケースにマスコットやトラップを取り付けた状態示す外観図である。
【図８】従来のタッチペンを示す平面図である。
【図９】ゲーム機のタッチパネル側を示す斜視図である。
【図１０】同ゲーム機の背面側を示す斜視図である。
【符号の説明】
【００２０】
１      タッチペン
１ａ    軸部
２      タッチ部
３      係止部
４      タッチペン収納ケース
５      半割部材
６      半割部材
９      位置決めリブ
【図１】
0003114986.tif 000003
【図２】
0003114986.tif 000004
【図３】
0003114986.tif 000005
【図４】
0003114986.tif 000006
【図５】
0003114986.tif 000007
【図６】
0003114986.tif 000008
【図７】
0003114986.tif 000009
【図８】
0003114986.tif 000010
【図９】
0003114986.tif 000011
【図１０】
0003114986.tif 000012
【手続補正書】
【提出日】平成17年8月4日(2005.8.4)
【手続補正１】
【補正対象書類名】実用新案登録請求の範囲
【補正対象項目名】全文
【補正方法】変更
【補正の内容】
【実用新案登録請求の範囲】
【請求項１】
細長の棒状体からなる軸部と軟質性樹脂材からなり前記軸部の先端に突設されたタッチ部とを備え、このタッチ部をタッチパネルにソフトタッチさせて情報の入力や表示を行わせるタッチペンと、該タッチペンを収納するタッチペン収納ケースとからなるものであって、
前記タッチペンの軸部の外周には、軸方向に所定長さを有する係止部が設けられ、
前記タッチペン収納ケースは、前記タッチペンよりも長くヒンジにより結合された一対の半割部材からなり、ヒンジを介して重ね合わせることにより内部に前記タッチペンを収納可能な収納部が形成されるとともに、各半割部材の先端部の重ね合わせられる辺に切欠きが形成され、該切欠きが合わさることにより前記タッチペンのタッチ部側を突出させる穴が設けられ、しかも、前記収納部に、前記タッチペンの係止部の軸方向長さに適合する間隔を開けて配設され、タッチペンを突出させて収納したときに前記係止部の軸方向両端に係止して前記タッチペンの軸方向の移動を規制する位置決めリブを備えることを特徴とする
タッチペン付き収納ケース。
【請求項２】
前記各収納部の先端側内部に、前記半割部材を重ね合わせたとき弾性変形して、前記タッチペンの周面を押圧する保持部を設けてなることを特徴とする請求項１に記載のタッチペン付き収納ケース。
【手続補正３】
【補正対象書類名】明細書
【補正対象項目名】０００１
【補正方法】変更
【補正の内容】
【０００１】
本考案は、ゲーム機や小型パーソナルコンピュータ等のタッチパネルに触れて情報を入力したり、所用の情報を表示させたりするタッチペンを収納するタッチペン付き収納ケースに関する。
【手続補正４】
【補正対象書類名】明細書
【補正対象項目名】０００５
【補正方法】変更
【補正の内容】
【０００５】
本考案は、上記課題に鑑みてなされたもので、予備品についてのタッチパネルに触れるタッチ部の損傷が防止されるうえ、タッチペンの使い勝手が高められるタッチペン付き収納ケースを提供することを目的としている。
【手続補正５】
【補正対象書類名】明細書
【補正対象項目名】０００８
【補正方法】変更
【補正の内容】
【０００８】
以上説明したように、本考案によるタッチペン付き収納ケースは、ヒンジを介して半割部材を重ね合わせることにより収納部にタッチペンを収納しておくことができる。これにより、タッチペン収納ケースに外力や振動が加えられても、予備用のタッチペンが損傷することなく保持され、タッチペン収納ケースに収納した状態で保管できるので予備用のタッチペンを紛失するおそれが少なくなる。
また、半割部材先端部の穴からタッチペンのタッチ部側部分を突出させた状態で、タッチペン収納ケースの位置決めリブとタッチペンの係止部とによってタッチペンの軸方向の移動が規制される。これにより、タッチペンよりも外径の大きいタッチペン収納ケースを把持し、タッチペンの軸方向のがたつきをなくしてタッチペンの操作を正確に行うことができるので、タッチペンを安定して指の負担なく使用することができる効果がある。